(57)【要約】【課題】  記録装置と印刷装置とが分離した形態を維持しつつ、簡便にディスクの内容と一致したラベルを印刷可能とする。【解決手段】  記録媒体に記録されたデータを識別するための識別情報と、前記記録媒体を個体識別可能な識別子とを対応づけて管理する記録装置と接続可能な印刷装置であって、記録媒体から第１の識別子を読み取る読取手段と、前記記録装置と接続されている場合に、前記第１の識別子に対応する第１の識別情報の送信を該記録装置に要求する送信要求手段と、前記送信の要求に応じて前記記録装置から送信された前記第１の識別情報を受信する受信手段と、前記記録媒体の印刷可能領域に、前記第１の識別情報を利用した印刷を行う印刷手段とを備える。【選択図】  図１
2007018449.tif 000002
【特許請求の範囲】
【請求項１】
記録媒体に記録されたデータを識別するための識別情報と、前記記録媒体を個体識別可能な識別子とを対応づけて管理する記録装置と接続可能な印刷装置であって、
記録媒体から第１の識別子を読み取る読取手段と、
前記記録装置と接続されている場合に、前記第１の識別子に対応する第１の識別情報の送信を該記録装置に要求する送信要求手段と、
前記送信の要求に応じて前記記録装置から送信された前記第１の識別情報を受信する受信手段と、
前記記録媒体の印刷可能領域に、前記第１の識別情報を利用した印刷を行う印刷手段と
を備えることを特徴とする印刷装置。
【請求項２】
記録媒体にデータの記録を行う記録装置であって、
データを格納するデータ格納手段と、
前記データ格納手段に格納されたデータを前記記録媒体に記録する記録手段と、
記録された前記データに関する情報に基づいて該記録されたデータを識別するための識別情報を生成する識別情報生成手段と、
前記記録媒体に付与された、該記録媒体を個体識別可能な識別子を読み取る読取手段と、
前記識別情報と前記識別子とを対応づけて格納する識別情報格納手段と
を備えることを特徴とする記録装置。
【請求項３】
前記記録媒体の印刷可能領域に印刷を行う印刷装置と接続された場合に、前記印刷装置から第１の識別子に基づく第１の識別情報の送信要求を受け付ける送信要求受付手段と、
前記送信要求に係る前記第１の識別子に対応づけられた前記第１の識別情報が前記識別情報格納手段に格納されているか否かを判定する判定手段と、
前記判定手段により、前記第１の識別情報が格納されていると判定された場合に、該第１の識別情報を前記印刷装置に送信する送信手段と
を更に備えることを特徴とする請求項２に記載の記録装置。
【請求項４】
前記記録媒体に、前記識別子が付与されていない場合に、前記記録手段は該識別子に相当する情報を該記録媒体の記録可能領域に記録することを更に特徴とする請求項２又は３に記載の記録装置。
【請求項５】
記録媒体に記録されたデータを識別するための識別情報と、前記記録媒体に付与され、該記録媒体を個体識別可能な識別子とを対応づけて管理する情報処理装置と接続された印刷装置であって、
記録媒体から第１の識別子を読み取る読取手段と、
前記読取手段で読み取った前記第１の識別子を前記情報処理装置へ送信する送信手段と、
前記送信の要求に応じて前記情報処理装置から送信される印刷データを受信する受信手段と、
前記記録媒体の印刷可能領域に、前記印刷データに基づく印刷を行う印刷手段と
を備えることを特徴とする印刷装置。
【請求項６】
記録媒体の印刷可能領域に印刷を行う印刷装置と接続可能な情報処理装置であって、
記録媒体に記録されたデータを識別するための識別情報と、前記記録媒体に付与され、該記録媒体を個体識別可能な識別子とを対応づけて格納する格納手段と、
接続された前記印刷装置から第１の識別子に対応する第１の識別情報の探索要求を受け付ける探索要求受付手段と、
前記格納手段に前記第１の識別子に対応する前記第１の識別情報が格納されている場合に、該識別情報に基づく印刷データを前記印刷装置に送信する送信手段と
を備えることを特徴とする情報処理装置。
【請求項７】
前記第１の識別子に対応する前記第１の識別情報が、前記格納手段に格納されているか否かを判定する判定手段と、
前記判定手段により該第１の識別情報が格納されていると判定された場合に、該第１の識別情報に基づく画面表示を行う画面表示手段と、
前記画面表示に基づく印刷指示を受け付ける印刷指示受付手段と
を更に備え、
前記送信手段は、前記印刷指示に従い、前記印刷データを送信することを特徴とする請求項６に記載の情報処理装置。
【請求項８】
前記格納手段は、前記印刷データのテンプレートを更に格納し、
前記画面表示手段は、１以上の前記テンプレートに前記第１の識別情報を適用した画面表示を行い、
前記印刷指示は、１以上の前記テンプレートのいずれかを選択して行われることを特徴とする請求項７に記載の情報処理装置。
【請求項９】
前記記録媒体はディスク状記録媒体であることを特徴とする請求項１乃至８のいずれかに記載の装置。
【請求項１０】
前記識別情報には、少なくともデータ名、データ種別、データ生成日時、撮影日時、撮影モード、シーン抽出画像及びＥＰＧデータのいずれかが含まれることを特徴とする請求項１乃至９のいずれかに記載の装置。
【請求項１１】
記録媒体に記録されたデータを識別するための識別情報と、前記記録媒体を個体識別可能な識別子とを対応づけて管理する記録装置と接続可能な印刷装置の制御方法であって、
記録媒体から第１の識別子を読み取る読取工程と、
前記印刷装置が前記記録装置と接続されている場合に、前記第１の識別子に対応する第１の識別情報の送信を該記録装置に要求する送信要求工程と、
前記送信の要求に応じて前記記録装置から送信された前記第１の識別情報を受信する受信工程と、
前記記録媒体の印刷可能領域に、前記第１の識別情報を利用した印刷を行う印刷工程と
を備えることを特徴とする印刷装置の制御方法。
【請求項１２】
記録媒体にデータの記録を行う記録装置の制御方法であって、
データを格納するデータ格納手段に格納されたデータを記録媒体に記録する記録工程と、
記録された前記データに関する情報に基づいて該記録されたデータを識別するための識別情報を生成する識別情報生成工程と、
前記記録媒体に付与された、該記録媒体を個体識別可能な識別子を読み取る読取工程と、
前記識別情報と前記識別子とを対応づけて識別情報格納部に格納する格納工程と
を備えることを特徴とする記録装置の制御方法。
【請求項１３】
記録媒体に記録されたデータを識別するための識別情報と、前記記録媒体に付与され、該記録媒体を個体識別可能な識別子とを対応づけて管理する情報処理装置と接続された印刷装置の制御方法であって、
記録媒体から第１の識別子を読み取る読取工程と、
前記読取工程において読み取られ前記第１の識別子を前記情報処理装置へ送信する送信工程と、
前記送信の要求に応じて前記情報処理装置から送信される印刷データを受信する受信工程と、
前記記録媒体の印刷可能領域に、前記印刷データに基づく印刷を行う印刷工程と
を備えることを特徴とする印刷装置の制御方法。
【請求項１４】
記録媒体の印刷可能領域に印刷を行う印刷装置と接続可能で、記録媒体に記録されたデータを識別するための識別情報と、前記記録媒体に付与され、該記録媒体を個体識別可能な識別子とを対応づけて格納する格納部を備える情報処理装置の制御方法であって、
前記情報処理装置に接続された前記印刷装置から第１の識別子に対応する第１の識別情報の探索要求を受け付ける探索要求受付工程と、
前記格納部に前記第１の識別子に対応する前記第１の識別情報が格納されている場合に、該識別情報に基づく印刷データを前記印刷装置に送信する送信工程と
を備えることを特徴とする情報処理装置の制御方法。
【請求項１５】
コンピュータを請求項１乃至１０のいずれかに記載の装置として機能させるためのコンピュータプログラム。
【請求項１６】
請求項１５に記載のコンピュータプログラムを格納したコンピュータで読み取り可能な記憶媒体。
【発明の詳細な説明】
【技術分野】
【０００１】
本発明は、印刷装置、記録装置、及び情報装置とそれらの制御方法、並びにコンピュータプログラム、記憶媒体に関する。
【背景技術】
【０００２】
ＣＤ−ＲやＤＶＤ−Ｒといった書き込み可能な記録媒体(以下、ディスク)にエンドユーザがデータを記録してオリジナルのディスクを作成することが一般に行われている。従来、これらオリジナルのディスクのラベルと言えば、手書により直接ディスクの表面にデータの内容を書き込んだものか、あるいはシールに内容を書き込んでディスクに貼り付けたものであった。近年では、ディスクの表面の印刷領域に印刷可能な印刷機が普及を見せており、エンドユーザでも比較的手軽に高品位なラベルを作成できるようになっている。
【０００３】
しかし、ディスクの内容と一致したラベルを印刷するにはユーザが適切にラベルを作成する必要があり、誤ったラベルが印刷されてしまうことを回避する手段は講じられていなかった。特に、特定の著作権保護機能の下では、誤ったラベルを印刷した場合でも別のディスクで作り直すことができないため、ユーザに負担を強いることになっていた。この著作権保護機能の例としては、ＣＰＲＭ（Ｃｏｎｔｅｎｔ Ｐｒｏｔｅｃｔｉｏｎ  ｆｏｒ  Ｒｅｃｏｒｄａｂｌｅ  Ｍｅｄｉａ）に代表される、個体識別可能なディスクを利用してディスクへのデータ記録に制限を設けるものがある。
【０００４】
これに対し、データの記録装置にラベルの印刷装置を一体化し、データ記録とラベル印刷を同時に行うことで上記のようなデータとラベルの不一致を回避する装置が提案されている（特許文献１を参照。）。また、書き込みデータとそれに対応したラベル用データと、さらには記録装置と印刷装置とをサーバで一元管理するディスク記録システムが提案されている（特許文献２を参照）。
【特許文献１】特開平１１−１０２５８３号公報
【特許文献２】特開２００５−３５０１１号公報
【発明の開示】
【発明が解決しようとする課題】
【０００５】
しかしながら、ディスクの記録装置の普及形態としてはＰＣやＤＶＤレコーダといった機器に搭載されているものが一般的である。一方、記録装置と印刷装置とを一体化させた装置をこれらの機器に搭載することは、サイズの制限や操作性の問題から実用化されるに至っていない。また同様の理由から、ディスク作成の専用機も一般に普及するには至っていない。
【０００６】
そこで、本発明は、記録装置と印刷装置とが分離した形態を維持しつつ、簡便にディスクの内容と一致したラベルを印刷可能とすることを目的とする。
【課題を解決するための手段】
【０００７】
上記課題を解決するための本発明は、記録媒体に記録されたデータを識別するための識別情報と、前記記録媒体を個体識別可能な識別子とを対応づけて管理する記録装置と接続可能な印刷装置であって、記録媒体から第１の識別子を読み取る読取手段と、前記記録装置と接続されている場合に、前記第１の識別子に対応する第１の識別情報の送信を該記録装置に要求する送信要求手段と、前記送信の要求に応じて前記記録装置から送信された前記第１の識別情報を受信する受信手段と、前記記録媒体の印刷可能領域に、前記第１の識別情報を利用した印刷を行う印刷手段とを備える。
【０００８】
上記課題を解決するための本発明はまた、記録媒体にデータの記録を行う記録装置であって、データを格納するデータ格納手段と、前記データ格納手段に格納されたデータを前記記録媒体に記録する記録手段と、記録された前記データに関する情報に基づいて該記録されたデータを識別するための識別情報を生成する識別情報生成手段と、前記記録媒体に付与された、該記録媒体を個体識別可能な識別子を読み取る読取手段と、前記識別情報と前記識別子とを対応づけて格納する識別情報格納手段とを備える。
【０００９】
上記課題を解決するための本発明は更に、記録媒体に記録されたデータを識別するための識別情報と、前記記録媒体に付与され、該記録媒体を個体識別可能な識別子とを対応づけて管理する情報処理装置と接続された印刷装置であって、記録媒体から第１の識別子を読み取る読取手段と、前記読取手段で読み取った前記第１の識別子を前記情報処理装置へ送信する送信手段と、前記送信の要求に応じて前記情報処理装置から送信される印刷データを受信する受信手段と、前記記録媒体の印刷可能領域に、前記印刷データに基づく印刷を行う印刷手段とを備える。
【００１０】
上記課題を解決するための本発明は更に、記録媒体の印刷可能領域に印刷を行う印刷装置と接続可能な情報処理装置であって、記録媒体に記録されたデータを識別するための識別情報と、前記記録媒体に付与され、該記録媒体を個体識別可能な識別子とを対応づけて格納する格納手段と、接続された前記印刷装置から第１の識別子に対応する第１の識別情報の探索要求を受け付ける探索要求受付手段と、前記格納手段に前記第１の識別子に対応する前記第１の識別情報が格納されている場合に、該識別情報に基づく印刷データを前記印刷装置に送信する送信手段とを備える。
【発明の効果】
【００１１】
本発明によれば、記録装置と印刷装置とが分離した形態を維持しつつ、簡便にディスクの内容と一致したラベルを印刷することができる。
【発明を実施するための最良の形態】
【００１２】
以下、図面を参照して本発明の実施形態を詳細に説明する。
【００１３】
［第１の実施形態］
以下、本発明の第１の実施形態について説明する。図１は、本実施形態に対応するラベル印刷処理システムの構成の一例を記載する図である。
【００１４】
図１において、１００はディスク記録装置である。１０１は、データ格納部で、ディスクに記録するデータが格納されている。１０２は、ディスク記録部に装填されたディスクから、ディスクに固有の識別子（ディスク識別子）を読み取る識別子読取部である。１０３は、メタデータ生成部で、ディスクに記録されたデータの属性情報からメタデータを生成する。ここで属性情報とはデータに関する情報であればどのような情報でも良いが、本実施形態では特にデータ名をであることが好ましい。また、本実施形態においてメタデータとは、ディスクに記録されたデータを識別するための識別情報である。
【００１５】
１０４は、ディスク記録履歴格納部で、ディスクの識別子と、該ディスクに記録されたデータのメタデータとを関連付けて、メタデータテーブルとして格納し管理する。１０５は、記録ヘッドで、ディスクへのデータ記録を行う。１０６は、ディスク装填部であり、記録・再生用のディスクが装填される。１０７は、ユーザインタフェースであり、ディスク記録装置１００のユーザからの指示入力を受け付ける。１０８は、ネットワークインタフェースである。
【００１６】
１１０は、ラベル印刷装置である。１１１は、識別子読取部であり、ラベル印刷装置１１０に装填されたディスクから、例えば光学的手段によりディスク識別子を読み取る。１１２は、メタデータ取得部で、ディスク記録装置１００からメタデータを取得する。１１３は印刷ヘッドで、ディスクにラベル印刷を行う。１１４は、ディスク装填部であり、記録・再生用のディスクが装填される。１１５は、ユーザインタフェースであり、ラベル印刷装置１１０のユーザからの指示入力を受け付ける。
【００１７】
１１６は、ネットワークインタフェースである。１１７は、ディスク記録装置１００とラベル印刷装置１１０を接続するネットワークである。ネットワーク１１７は、例えば、有線接続による、ローカルエリアネットワーク（ＬＡＮ）であっても良いし、ＵＳＢやＩＥＥＥ１３９４に従いケーブルで両装置が接続されても良い。また、赤外線通信、ＩＥＥＥ８０２．１１ａ、ｂ又はｇ、ブルトゥースなどの無線通信であってもよい。このように、本実施形態におけるラベル印刷処理システムは、ディスク記録装置１００とラベル印刷装置１１０とが接続されて構成される。
【００１８】
次に、本実施形態に対応するディスクの構成の一例を、図２を参照して説明する。図２において２００は、ディスク全体を示す。２０１は、ディスクにおける印刷可能領域であり、ラベル印刷装置１１０によってラベルを印刷することができる。２０２は、ディスクを個体毎に識別可能なディスク識別子である。ディスク識別子２０２として、本実施形態では文字列が記載されている。また、図２に示すディスク２００の裏面は、記録用データの記録が可能な領域（記録可能領域）となっている。
【００１９】
次に、図３のフローチャートを参照して、本実施形態に対応する、ディスク記録装置１００におけるディスク２００へのデータ記録処理の一例を説明する。まず、ステップＳ３０１では、ユーザからユーザーインタフェース１０７を介して、ディスク装填部１０６に装填されたディスク２００へのデータ記録指示を受け付つけたか否かを監視する。もし、データ記録指示を受け付けた場合には（ステップＳ３０１において「ＹＥＳ」）、ステップＳ３０２に移行する。一方、該指示を受け付けない場合には、監視を継続する。ステップＳ３０２では、データ格納部１０１から記録用データを読出す。続くステップＳ３０３では、読み出したデータを記録ヘッド１０５によりディスク２００に記録する。
【００２０】
続いてステップＳ３０４では、メタデータ生成部１０３が、メタデータを生成する。ここで、本実施形態ではデータ名がメタデータとなる。メタデータが作成されると、ステップＳ３０５において、識別子読取部１０２がディスク２００からディスク識別子２０２を読み取る。ステップＳ３０６では、読み取られたディスク識別子２０２とメタデータとを対応づけて、メタデータテーブルとしてディスク記録履歴格納部１０４に格納する。メタデータテーブルの一例は図８に示すとおりである。図８において、８００はメタデータテーブル全体を示す。８０１にはディスク識別子２０２が登録される。また、８０２には、メタデータとしてデータ名が登録される。以上により、データ記録処理が終了する。
【００２１】
次に、図４のフローチャートを参照して、本実施形態に対応するラベル印刷処理の一例を説明する。まず、ステップＳ４０１では、ラベル印刷装置１１０は、ディスク装填部１１４にディスク２００が装填されたか否かを監視する。ディスクの装填が検知された場合には（ステップＳ４０１において「ＹＥＳ」）、ステップＳ４０２に移行する。ステップＳ４０２では、ディスク装填部１１４に装填されたディスク２００のディスク識別子２０２を、識別子読取部１１１により読み取る。ステップＳ４０３では、読み取られたディスク識別子２０２がメタデータ取得部１１２に渡され、ディスク記録装置１００に対し、ディスク記録履歴格納部１０４に格納されている該ディスク識別子２０２に対応するメタデータの送信要求が行われる。
【００２２】
このときディスク記録装置１００では、ステップＳ４０４においてメタデータ送信要求を受信したか否かを監視している。もし受信した場合には（ステップＳ４０４において「ＹＥＳ」）、ステップＳ４０５に移行する。ステップＳ４０５では、送信要求に係る識別子と対応づけられたメタデータがディスク記録履歴格納部１０４内のメタデータテーブル８００に登録されているか否かを判定する。もし、該メタデータが登録されている場合には（ステップＳ４０６において「ＹＥＳ」）、ステップＳ４０７に移行してラベル印刷装置１１０に対しメタデータを送信し、処理を終了する。一方、メタデータが登録されていない場合には（ステップＳ４０６において「ＮＯ」）、ステップＳ４０８にて、送信された識別子に対応するメタデータが存在しない旨の通知（不存在通知）をラベル印刷装置１１０に送信し、処理を終了する。
【００２３】
ラベル印刷装置１１０では、ステップＳ４０９において、送信要求に係るメタデータを受信したか否かを監視している。もし、メタデータを受信しない場合には（ステップＳ４０９において「ＮＯ」）、ステップＳ４１０へ移行する。ステップＳ４１０では、不存在通知を受信したか否かを判定し、受信していない場合には（ステップＳ４１０において「ＮＯ」）ステップＳ４０９に戻る。また、不存在通知を受信した場合には（ステップＳ４１０において「ＹＥＳ」）、処理を終了する。一方、メタデータを受信した場合には（ステップＳ４０９において「ＹＥＳ」）、ステップＳ４１１へ移行する。ステップＳ４１１では、メタデータ取得部１１２が、受信したメタデータからディスク２００に記録されているデータのデータ名を抽出する。続くステップＳ４１２では、印刷ヘッド１１３により、抽出したデータ名に基づき印刷可能領域２０１にラベル印刷を行う。
【００２４】
以上のように、本実施形態に対応するラベル印刷装置によれば、ディスクの個体を識別するためのディスク識別子に基づいて、該ディスクに記録されたデータのメタデータをディスク記録装置に要求し、該メタデータに基づくラベル印刷を行うことができる。従って、ラベル印刷装置のユーザは、自らがディスクの中身を判断してラベルを作成する必要がない。それと同時に、ディスク内のコンテンツと一致したラベル印刷を簡単に行うことができる。
【００２５】
［第２の実施形態］
以下、本発明の第２の実施形態を説明する。
【００２６】
上記の第１の実施形態においては、ディスク記録履歴格納部１０４がディスク記録装置１１０と一体化された構成をとっていた。これに対し、本実施形態においては両者が独立した装置で構成される。
【００２７】
図５に、本実施形態に対応するシステムの構成の一例を示す。図５には、ディスク記録装置１００にディスク記録履歴格納部１０４が存在しない他、コンピュータ装置５０１と印刷データ受信部５０２が存在する点で図１の構成とは異なる。図１と図５において共通する構成要素については同一の参照番号を付しており、その機能は第１の実施形態において説明したとおりであるので、ここでは詳細な説明を省略する。
【００２８】
本実施形態において、コンピュータ装置５０１は、汎用のパーソナルコンピュータで構成することができるが、少なくとも第１の実施形態におけるディスク記録履歴格納部１０４としての機能を有する。更に、コンピュータ装置５０１は、ディスク記録置１００及びラベル印刷装置１１０の動作を制御する。また、印刷データ受信部５０２は、コンピュータ装置５０１から、印刷ヘッド１１３における印刷に利用する印刷データを受信する。
【００２９】
図６に、コンピュータ装置５０１の構成の一例を示す。図６において、６０１はＣＰＵであり、ＯＳ(Operating System)および各種アプリケーションプログラムを実行し、コンピュータ装置５０１各部の制御を行う。６０２はＲＯＭであり、ＣＰＵ６０１が実行するプログラムや演算用のパラメータのうちの固定的なデータを格納する。６０３はＲＡＭであり、ＣＰＵ６０１の作業領域やデータの一時記憶領域を提供する。６０４はバスであり、ＣＰＵ６０１、ＲＯＭ６０２、ＲＡＭ６０３、インタフェース６０８及び通信部６０９を相互接続する。
【００３０】
６０５はキーボードなどの入力装置である。６０６は表示装置でありＣＲＴ、液晶ディスプレイなどで構成される。６０７は、外部記憶装置であり、ハードディスク、ＭＯ、ＣＤ−ＲＯＭ、ＤＶＤ−ＲＯＭ等で構成され、少なくともラベルのテンプレートデータ、及び、メタデータテーブル８００が格納されている。６０８はインタフェースであり、入力装置６０５、表示装置６０６及び外部記憶装置６０７とバス６０４との間の通信を可能とする。６０９は通信部であり、ネットワーク１１７へのコンピュータ装置５０１の接続を可能とする。
【００３１】
続いて、図７のフローチャートを参照して、本実施形態におけるラベル印刷処理の一例を説明する。尚、ディスク２００へのデータ記録処理は、第１の実施形態における図３に記載した処理と同様に実施可能であるので、詳細な説明は省略する。但し、本実施形態では、ステップＳ３０６において生成されたメタデータテーブル８００は、ディスク記録装置１００内ではなく、コンピュータ装置５０１内の外部記憶装置６０７に格納される。
【００３２】
図７において、ステップＳ７０１では、コンピュータ装置５０１において、ユーザからのラベル印刷指示を受け付ける。ラベル印刷指示を受け付けると（ステップＳ７０１において「ＹＥＳ」）、ステップＳ７０２に移行する。ステップＳ７０２では、コンピュータ装置５０１からラベル印刷装置１１０に対し、ネットワーク１１７を介してラベル印刷命令が通知される。
【００３３】
これに対しラベル印刷装置１１０は、ステップＳ７０３において、コンピュータ装置５０１からのラベル印刷命令を受け付けたか否かを監視している。もし、該命令を受け付けた場合には（ステップＳ７０３において「ＹＥＳ」）、ステップＳ７０４に移行して、ディスク装填部１１４にディスク２００が装填されたか否かを判定する。ディスクの装填が検知された場合には（ステップＳ７０４において「ＹＥＳ」）、ステップＳ７０５に移行する。ステップＳ７０５では、ディスク装填部１１４に装填されたディスク２００のディスク識別子２０２を、識別子読取部１１１により読み取る。続くステップＳ７０６では、読み取られたディスク識別子２０２がメタデータ取得部１１２に渡され、コンピュータ装置５０１に対し、該ディスク識別子２０２に対応するメタデータの探索要求が送信される。
【００３４】
コンピュータ装置５０１では、ステップＳ７０７において、ラベル印刷装置１１０からのメタデータ探索要求の受信を監視している。もし、メタデータ探索要求を受信した場合には（ステップＳ７０７において「ＹＥＳ」）、ステップＳ７０８に移行する。ステップＳ７０８では、外部記憶装置６０７内に格納されているメタデータテーブル８００に、メタデータ探索要求に含まれるディスク識別子２０２と対応づけられてメタデータが登録されているか否かを判定する。もし、ディスク識別子２０２に対応するメタデータが登録されている場合には（ステップＳ７０９において「ＹＥＳ」）ステップＳ７１０に移行し、登録されていない場合には（ステップＳ７０９において「ＮＯ」）、ステップＳ７１１に移行する。ステップＳ７１０では、データ名をメタデータから抽出し、表示装置６０６に該データ名を表示する。ステップＳ７１１では、メタデータが格納されていない旨の表示を行い、処理を終了する。
【００３５】
ステップＳ７１２では、表示装置６０６におけるデータ名の表示を確認したユーザからの印刷開始指示を受け付ける。ユーザからの入力装置６０５を介して印刷開始指示を受け付けた場合には（ステップＳ７１２において「ＹＥＳ」）、ステップＳ７１３に移行してラベル印刷装置１１０にラベル印刷用の印刷データを送信する。
【００３６】
ラベル印刷装置１１０では、ステップＳ７１４においてコンピュータ装置５０１から印刷データ受信部５０２が印刷データを受信したか否かを監視している。印刷データを受信すると（ステップＳ７１４において「ＹＥＳ」）、ステップＳ７１５に移行する。ステップＳ７１５では、受信した印刷データを用いてディスク２００の印刷可能領域２０１にラベル印刷を行い、処理を終了する。
【００３７】
なお、ステップＳ７１０における処理では、データ名の確認だけでなく、外部記憶装置６０７に格納されているラベルテンプレートに該データ名を適用した複数のサンプルを併せて表示することもできる。ユーザは表示されたサンプルの中から好みのものを選択して、印刷開始指示を行うことができる。即ち、このようなラベルテンプレートの表示により、ユーザは所望のテンプレートを用いたラベル印刷の指示を行うことが可能となる。
【００３８】
以上のように、本実施形態に対応するラベル印刷装置によれば、ディスクの個体を識別するためのディスク識別子に基づいて、コンピュータ装置からラベル印刷用の印刷データを受信し、ラベル印刷を行うことができる。従って、ラベル印刷装置のユーザは、自らがディスクの中身を判断してラベルを作成する必要がない。それと同時に、ディスク内のコンテンツと一致したラベル印刷を簡単に行うことができる。
【００３９】
尚、以上の実施形態において、メタデータには記録データの属性情報のうちデータ名を用いたが、本発明の実施においてメタデータとして利用可能な属性情報はこれに限定されるものではない。例えば、データの種別（写真、文書、表データ）、データ生成日時、拡張子などを表す情報を、メタデータとして利用することもできる。
【００４０】
また、以上の実施形態においては、ディスク記録装置１００とラベル印刷装置１１０を構成する各構成要素が各装置内に存在する場合を説明した。しかしながら、各装置の構成はあくまで一例であって、これに限定されるものではない。例えば、ネットワーク上に分散した計算機や処理端末などに、装置の一部の構成要素が分散して配置されてもよい。
【００４１】
更に、以上の実施形態では、ディスクの識別子として文字列が記載されている場合を記載したが、これ以外にもバーコード、磁気テープ、無線タグ、ホログラフィなどを使用してもよいし、これらの組み合わせを使用してもよい。また、複数の識別子を組み合わせて使用する際に、各々の識別子が異なった識別情報を持つ場合でも、識別情報の間の対応関係を管理することで本発明は実施可能である。このような場合、ラベル印刷装置１１０の識別子読取部１１１は、バーコードリーダー、磁気ヘッド等対応する読取手段を備える。
【００４２】
また、以上の実施形態では、ディスク識別子はディスクの印刷面にデータ記録とは別個に付与されているものを前提としていた。しかし、ディスク識別子をディスクの記録面を利用して、記録データとは別にディスク記録装置１００において記録することも可能である。その場合には、ラベル印刷装置１１０は、ディスクの記録面の少なくともディスク記録装置がディスク識別子を記録した領域から、該ディスク識別子を読み取るための識別子読取部を備えることが好ましい。
【００４３】
また、本発明を実施する際の記録装置の好適な例としては、カムコーダが挙げられる。この場合、ＤＶＤ−Ｒのようなディスク記録媒体の他、ＤＶテープやメモリカードの記録媒体も利用できる。また、メタデータに利用するための記録データの属性情報には、例えば撮影日時、撮影モード、又は、シーン抽出画像なども含めることができる。
【００４４】
更に、本発明を実施する際の記録装置の他の好適な例としては、ＤＶＤレコーダがある。この場合の記録媒体としては記録可能なＤＶＤを利用することができる。また、メタデータとして利用可能な記録データの属性情報には、ＥＰＧ(Electronic Program Guide)データの一部または全部を含めることができる。
【００４５】
［その他の実施形態］
本発明の目的は前述した実施形態の機能を実現するソフトウエアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【００４６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００４７】
また、コンピュータが読み出したプログラムコードを実行することにより、前述した実施形態の機能が実現されるだけでなく、そのプログラムコードの指示に基づき、コンピュータ上で稼動しているOperating System（ＯＳ）などが実際の処理の一部または全部を行い、その処理によって前述した実施形態の機能が実現される場合も含まれることは言うまでもない。
【００４８】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００４９】
【図１】本発明の第１の実施形態に対応するラベル印刷処理システムの構成の一例を示す図である
【図２】本発明の実施形態に対応するディスクの構造の一例を示す図である。
【図３】本発明の実施形態に対応するデータ記録処理の一例を示すフローチャートである。
【図４】本発明の第１の実施形態に対応するラベル印刷処理の一例を示すフローチャートである。
【図５】本発明の第２の実施形態に対応するラベル印刷処理システムの構成の一例を示す図である。
【図６】本発明の第２の実施形態に対応するコンピュータ装置５０１の構成の一例を示す図である。
【図７】本発明の第２の実施形態に対応するラベル印刷処理の一例を示すフローチャートである。
【図８】本発明の実施形態に対応するメタデータテーブルの一例を示す図である。
【図１】
2007018449.tif 000003
【図２】
2007018449.tif 000004
【図３】
2007018449.tif 000005
【図４】
2007018449.tif 000006
【図５】
2007018449.tif 000007
【図６】
2007018449.tif 000008
【図７】
2007018449.tif 000009
【図８】
2007018449.tif 000010